(57)【要約】【課題】静電噴霧装置の動作停止後の液漏れ等を防止する。【解決手段】容器部(31)と、容器部(31)に連通するノズル部(32)と、容器部(31)を圧迫する押圧機構(23)と、ノズル部(32)に電界を形成するカートリッジ側電極(16)と、カートリッジ側電極(16)に電圧を印加する電源部(24)と、押圧機構(23)の容器部(31)に対する押圧を停止した後も、ノズル部(32)の先端に電界が形成されるように制御する制御部(28)を備えている。【選択図】図４
2009011958.tif 000002
【特許請求の範囲】
【請求項１】
液体が貯留される容器(31)と、該容器(31)の内部に連通するノズル部(32)と、該容器(31)の内部の液体を上記ノズル部(32)の先端に供給する液体搬送手段(15)と、電源部(24)と、該電源部(24)から電力供給されて上記ノズル部(32)の先端に電界を形成する電界形成手段(16)とを備え、
上記電界形成手段(16)の電界形成によって、ノズル部(32)の先端から液体を霧化状態で噴霧する静電噴霧装置であって、
上記液体搬送手段(15)の液体の搬送が停止した後に、ノズル部(32)の先端の液体を噴霧するように該電界形成手段(16)を制御する制御手段(28)を備えている
ことを特徴とする静電噴霧装置。
【請求項２】
請求項１において、
上記制御手段(28)は、液体搬送手段(15)の液体の搬送が停止した後においても上記電界形成手段(16)の電界形成が継続するように該電界形成手段(16)を制御する
ことを特徴とする静電噴霧装置。
【請求項３】
請求項２において、
上記容器(31)は、柔軟な部材によって構成される一方、
上記液体搬送手段(15)は、上記容器(31)を圧迫して、液体をノズル部(32)の先端に供給する加圧手段(23)を備えている
ことを特徴とする静電噴霧装置。
【請求項４】
請求項３において、
上記制御手段(28)は、上記加圧手段(23)の容器(31)に対する加圧を停止した後、所定時間が経過するまで上記電界形成手段(16)が電界を形成するように該電界形成手段(16)を制御する
ことを特徴とする静電噴霧装置。
【請求項５】
請求項２において、
上記制御手段(28)は、電源部(24)からの電力供給によって電荷を蓄積するコンデンサによって構成され、
上記制御手段(28)は、上記コンデンサに蓄積された電荷によって、上記電界形成手段(16)が電界を形成するように該電界形成手段(16)を制御する
ことを特徴とする静電噴霧装置。
【発明の詳細な説明】
【技術分野】
【０００１】
本発明は、静電噴霧装置に関し、特に、噴霧停止における液漏れ対策に係るものである。
【背景技術】
【０００２】
従来より、容器内に貯留された液体を噴霧させるための液体噴霧装置として、容器の出口となるノズルに送り込まれた液体を、ノズルの先端から電界強度によって噴霧させる静電噴霧装置が知られている。このような静電噴霧装置を特許文献１に示す。特許文献１に示す静電噴霧装置は、一端が蝶番で連結された一対のケースからなるハウジングを備えている。各ケースには、弾性的に変形可能な材料のパッドが設けられている。この静電噴霧装置では、ハウジングを閉じる際に、パッドが液体を貯留する容器である小袋を挟み込みながら収縮する。小袋は、パッドによって圧縮され、小袋内の液体がノズルに供給される。次に、ノズルに電界を形成することで、小袋内の液体を噴霧させる。
【特許文献１】特開平０５−１３８０８１号公報
【発明の開示】
【発明が解決しようとする課題】
【０００３】
従来の静電噴霧装置は、図６(Ａ)に示すように、ノズル(a)の内部に抵抗体(c)を備えている。この抵抗体(c)は、パッドの小袋に対する圧縮力が増加しても、ノズル(a)に所定量の液体(b)が供給されるように構成されている。このため、図７に示すように、静電噴霧装置の動作を停止させても、小袋の内部の液体には残留圧力が作用する。これにより、動作停止後であっても、ノズル(a)の先端には液体が送り込まれるため、図６(Ｂ)に示すように、ノズル(a)の先端に液体が蓄積する、いわゆる液溜まり(d)が形成されてしまう。液溜まり(d)が形成されると、動作停止時に、ノズル(a)の先端から液体が漏れる、いわゆる液漏れを生じるという問題があった。また、次回の運転開始時には、ノズル(a)の先端に液体が詰まる、いわゆる液詰まりが形成されるという問題があった。
【０００４】
本発明は、斯かる点に鑑みてなされたものであり、静電噴霧装置の動作停止後の液漏れ等を防止することを目的とする。
【課題を解決するための手段】
【０００５】
第１の発明は、液体が貯留される容器(31)と、該容器(31)の内部に連通するノズル部(32)と、該容器(31)の内部の液体を上記ノズル部(32)の先端に供給する液体搬送手段(15)と、該電源部(24)から電力供給されて上記ノズル部(32)の先端に電界を形成する電界形成手段(16)とを備え、上記電界形成手段(16)の電界形成によって、ノズル部(32)の先端から液体を霧化状態で噴霧する静電噴霧装置を前提としている。そして、上記液体搬送手段(15)の液体の搬送が停止した後に、ノズル部(32)の先端の液体を噴霧するように該電界形成手段(16)を制御する制御手段(28)を備えている。
【０００６】
上記第１の発明では、容器(31)の内部の液体をノズル部(32)の先端に送り込むと、ノズル部(32)の先端に電界を形成する。この電界強度によりノズル部(32)の先端の液体は外部へ引っ張られる。そして、微細な液滴となってノズル部(32)の先端から噴霧される。
【０００７】
ここで、静電噴霧装置の動作を停止させても容器(31)の内部の液体には残留圧力が作用する。残留圧力が作用すると、液体は、ノズル部(32)の先端に移動して液溜まりを形成する。これにより、動作停止後にノズル部(32)の先端から液漏れが生じる一方、次回運転時においては、ノズル部(32)の先端に液詰まりを生じる等の問題が生じる。ところが、本発明では、液体の搬送が停止した後もノズル部(32)の先端から液体を噴霧するように電界形成手段(16)を制御する制御手段(28)を設けたため、動作停止後にノズル部(32)の先端に送り込まれた液体を噴霧する。
【０００８】
第２の発明は、上記第１の発明において、上記制御手段(28)は、液体搬送手段(15)の液体の搬送が停止した後においても上記電界形成手段(16)の電界形成を継続するように該電界形成手段(16)を制御する。
【０００９】
上記第２の発明では、液体の搬送が停止した後も、電界形成手段(16)は、電界を継続して形成する。液体の搬送が停止した後であっても、容器(31)の内部の液体には残留圧力が作用するため、液体は、ノズル部(32)の先端に移動して液溜まりを形成する。ところが、本発明では、液体の搬送を停止しても、電界を継続して形成するため、動作停止後にノズル部(32)の先端に送り込まれた液体を噴霧することができる。
【００１０】
第３の発明は、上記第２の発明において、上記容器(31)は、柔軟な部材によって構成される一方、上記液体搬送手段(15)は、上記容器(31)を圧迫して、液体をノズル部(32)の先端に供給する加圧手段(23)を備えている。
【００１１】
上記第３の発明では、上記加圧手段(23)が、柔軟な部材によって構成された容器(31)を圧迫する。容器(31)が圧迫されると、容器(31)の内部圧力が上昇する。容器(31)の内部の液体は、内部圧力に押出されてノズル部(32)の先端に移動する。
【００１２】
第４の発明は、上記第３の発明において、上記制御手段(28)は、上記加圧手段(23)の容器(31)に対する加圧を停止した後、所定時間が経過するまで上記電界形成手段(16)が電界を形成するように該電界形成手段(16)を制御する。
【００１３】
上記第４の発明では、加圧手段(23)が容器(31)に対する加圧を停止した後に、電界形成手段(16)に所定の電圧を印加する。つまり、容器(31)に対する加圧を停止した後であっても、容器(31)の内部の液体には、残留圧力が作用するため、液体は、ノズル部(32)の先端に移動して液溜まりを形成する。ところが、本発明では、加圧手段(23)が容器(31)に対する加圧を停止した後であっても、所定時間は電界を継続して形成するため、動作停止後にノズル部(32)の先端に送り込まれた液体を噴霧することができる。
【００１４】
第５の発明は、上記第２の発明において、上記電源部(24)からの電力供給によって電化を蓄積するコンデンサを有する一方、上記制御手段(28)は、上記コンデンサに蓄積された電荷によって、上記電界形成手段(16)が電界を形成するように該電界形成手段(16)を制御する。
【００１５】
上記第５の発明では、液体の搬送が停止した後に、電源部(24)のコンデンサに蓄積された電荷によって電界形成手段(16)は電界を継続して形成する。電源部(24)からの電力供給を停止すると、電界形成手段(16)の電界強度は瞬時に低下する。ところが、本発明では、電源部(24)が、電荷を蓄積するコンデンサを有している。このため、電界形成手段(16)の電界形成を停止しても、コンデンサに蓄積された電荷により、電界を継続して形成することができる。この結果、液体の搬送を停止しても、電界を継続して形成するため、動作停止後にノズル部(32)の先端に送り込まれた液体を噴霧することができる。
【発明の効果】
【００１６】
上記本発明によれば、ノズル部(32)の先端に電界を形成する電界形成手段(16)を制御することのできる制御手段(28)を設けている。上記制御手段(28)により、液体の搬送が停止した後であっても、ノズル部(32)の先端に電界を形成することができる。これにより、動作停止後の残留圧力の作用によりノズル部(32)の先端に送り込まれた液体を確実に噴霧することができる。この結果、動作停止後に、ノズル部(32)の先端に液溜まりが形成されることがないため、ノズル部(32)の先端からの液漏れ等を確実に防止することができる。
【００１７】
上記第２の発明によれば、液体の搬送を停止した後に、ノズル部(32)の先端に電界を継続して形成するようにした。これにより、動作停止後の残留圧力の作用によりノズル部(32)の先端に送り込まれた液体を確実に噴霧することができる。この結果、動作停止後に、ノズル部(32)の先端に液溜まりが形成されることがないため、ノズル部(32)の先端からの液漏れ等を確実に防止することができる。
【００１８】
上記第３の発明によれば、容器(31)を加圧することで、ノズル部(32)の先端に液体を移動させるようにしたため、簡易な構成で、液体をノズル部(32)の先端に搬送することができる。
【００１９】
上記第４の発明によれば、加圧手段(23)が容器(31)に対する加圧を停止した後に、ノズル部(32)の先端に所定の時間に亘って電界が継続して形成されるようにした。これにより、動作停止後の残留圧力の作用によりノズル部(32)の先端に送り込まれた液体を確実に噴霧することができる。この結果、動作停止後に、ノズル部(32)の先端に液溜まりが形成されることがないため、ノズル部(32)の先端からの液漏れ等を確実に防止することができる。
【００２０】
上記第５の発明によれば、電源部(24)がコンデンサを有しているため、電源部(24)からの電力供給が停止しても、電界形成手段(16)は継続して電界を形成することができる。このため、液体の搬送を停止した後であっても、コンデンサに蓄積した電荷によってノズル部(32)の先端に電界が形成することができる。これにより、動作停止後の残留圧力の作用によりノズル部(32)の先端に送り込まれた液体を確実に噴霧することができる。この結果、動作停止後にノズル部(32)の先端に液溜まりが形成されることがないため、ノズル部(32)の先端からの液漏れ等を確実に防止することができる。
【発明を実施するための最良の形態】
【００２１】
以下、本発明の実施形態を図面に基づいて詳細に説明する。
【００２２】
図１及び図２に示すように、本発明に係る静電噴霧装置(10)は、本体部(20)と、噴霧カートリッジ(30)とを備えている。この静電噴霧装置(10)では、噴霧カートリッジ(30)が本体部(20)に対して着脱可能となっている。
【００２３】
噴霧カートリッジ(30)は、扁平な袋状容器として構成された容器部(31)と、容器部(31)の内部に連通するノズル部(32)とを備えている。噴霧カートリッジ(30)は、容器部(31)が圧縮されると、容器部(31)の内部の液体がノズル部(32)を通じて排出されるように構成されている。噴霧カートリッジ(30)は、容器部(31)の内部の液体が少なくなると交換される。
【００２４】
具体的に容器部(31)は、図３に示すように、液体を浸透させない比較的柔軟な材料によって形成されている。容器部(31)は、２枚の矩形状シート(31a)を重ね合わせることによって形成されている。２枚の矩形状シート(31a)は、４辺のうちの３辺が互いに貼り合わされ、１辺が菱形状のシール部材(31b)を介して接続されている。容器部(31)の内部には、空気が混入しない状態で、保湿成分や抗酸化成分を含んだ液体が貯留されている。この液体は、電気抵抗率が１．０×１０４Ωｃｍ以上１．０×１０７Ωｃｍ以下の範囲の値になるように濃度が調節されている。
【００２５】
ノズル部(32)は、例えば樹脂製のノズルである。ノズル部(32)は、内径が基端から先端に亘って一様に形成されている。ノズル部(32)の内径（直径）は、例えば０．２ｍｍに形成される。また、ノズル部(32)の内部は、容器部(31)の内部と連通している。なお、ノズル部(32)には、送り込まれる単位時間当たりの液体の量を調整するために、先端に向かう液体の流路抵抗となる抵抗体を設けてもよい。ノズル部(32)の内径は小さい一方、ノズル部(32)の流路抵抗は大きくなるよう構成されている。このため、容器部(31)に対する押圧力を大きくしても、容器部(31)の内部の液体は少しずつノズル部(32)の先端に供給される。これにより、容器部(31)に対する押圧を解除しても、容器部(31)の内部の液体には、残留圧力が作用する。そして、残留圧力が無くなるまで、液体は、ノズル部(32)の先端に送り込まれることになる。ノズル部(32)は、容器部(31)のシール部材(31b)の中央部に取り付けられている。ノズル部(32)には、後述する本体側電極と接触するカートリッジ側電極(16)が設けられている。カートリッジ側電極(16)は、ノズル部(32)の外周面に露出するとともに、ノズル部(32)の内部の液体に接触している。カートリッジ側電極(16)は、ノズル部(32)の先端に電界を形成するための電界形成手段を構成している。
【００２６】
上記本体部(20)は、ハウジング(21)と、台座用部材(22)と、押圧機構(23)と、電源部(24)と、制御部(28)とを備えている。押圧機構(23)及び台座用部材(22)は、噴霧カートリッジ(30)のノズル部(32)に液体を供給する、液体搬送手段(15)を形成している。
【００２７】
上記ハウジング(21)は、対となる第１ケース(41)及び第２ケース(42)を備えている。第１ケース(41)と第２ケース(42)とは、ハウジング(21)が開閉可能となるように、一端が蝶番(46)によって連結されている。閉じられた状態のハウジング(21)は、断面視で概ね楕円状に形成されている。第１ケース(41)及び第２ケース(42)は概ね同形状の碗状に形成されている。第２ケース(42)には、ハウジング(21)を閉鎖するために、第１ケース(41)に掛止めされる爪状部材(48)が設けられている。この静電噴霧装置(10)では、第２ケース(42)が第１ケース(41)の下側になるように設置される。また、第２ケース(42)には、図示はしないが、ハウジング(21)を支持するための脚部が設けられている。なお、ハウジング(21)には、取り付けられた噴霧カートリッジ(30)のノズル部(32)の角度を調節するための角度調節機構を設けてもよい。また、上記脚部がノズル部(32)の角度を調節できるように構成されていてもよい。
【００２８】
上記台座用部材(22)は、第２ケース(42)の開放面を覆うように取り付けられている。台座用部材(22)の中央付近には、容器部(31)を設置するための容器設置部(43)が形成されている。また、台座用部材(22)の外周部の蝶番(46)に対向する位置には、切り欠き部(44)が形成されている。切り欠き部(44)には、ノズル部(32)を保持するためのノズル保持部材(45)が設けられている。ノズル保持部材(45)は、ノズル部(32)を挟持することでノズル部(32)を保持している。ノズル保持部材(45)には、カートリッジ側電極(16)に接触する本体側電極が設けられている。本体側電極と電源部(24)とは、電気的に接続されており、電源部(24)から本体側電極に電圧が出力されるよう構成されている。
【００２９】
上記押圧機構(23)は、第１ケース(41)の内部に設けられている。押圧機構(23)は、定荷重ゼンマイ(25)と、押圧部材(26)と、一対のガイド部材(27)とを備え、容器部(31)を圧縮する加圧手段を形成している。押圧機構(23)は、定荷重ゼンマイ(25)で発生する荷重によって押圧部材(26)を下方に移動させる。押圧部材(26)は、平板状に形成され、両端部がガイド部材(27)に取り付けられ、容器部(31)を平面状に押圧するように構成されている。
【００３０】
具体的に、定荷重ゼンマイ(25)は、一端が第１ケース(41)に取り付けられ、他端が押圧部材(26)の支柱(26a)に取り付けられている。定荷重ゼンマイ(25)は、一定の曲率に形成された帯状の金属板が渦巻き状に巻かれているゼンマイである。定荷重ゼンマイ(25)は、ストロークが所定値を超えると、それ以上ストロークが大きくなっても復元力が一定となるという特性を有している。
【００３１】
上記ガイド部材(27)は、ハウジング(21)が閉じた状態において、押圧部材(26)を支持している。ガイド部材(27)は、押圧部材(26)が容器設置部(43)の底面に対して平行に保たれた状態で下方に移動するように構成されている。また、ガイド部材(27)は、使用者が静電噴霧装置(10)の動作を停止すると、押圧部材(26)を動作停止時の位置に支持固定するように構成されている。
【００３２】
上記電源部(24)は、第２ケース(42)の内部に設けられている。電源部(24)は、第２ケース(42)に収納された電池からの出力電圧を例えば６ｋＶの高電圧に変換して、本体側電極に出力するように構成されている。本体側電極に出力された電圧は、カートリッジ側電極(16)を介して、ノズル部(32)の内部の液体に印加される。なお、電源部(24)は、０ｋＶ以上１２ｋＶ以下の値に電圧を変換するように構成されていればよい。
【００３３】
次に本発明の特徴部分である制御部(28)について説明する。
【００３４】
図２に示すように、上記制御部(28)は、第２ケース(42)の内部に設けられている。制御部(28)は、電源部(24)に電気的に接続されている。制御部(28)は、電源部(24)から本体側電極に出力される電圧の印加電圧値及び印加時間等を制御するように構成されている。特に、上記制御部(28)は、押圧機構(23)が容器部(23)の加圧を停止した後においても、カートリッジ側電極(16)がノズル部(32)の先端に電界を形成するように該カートリッジ側電極(16)の印加電圧を制御している。
【００３５】
−運転動作−
次に、本実施形態の静電噴霧装置(10)の運転動作について説明する。この静電噴霧装置(10)は、いわゆるコーンジェットモードのＥＨＤ噴霧が行われる。
【００３６】
この静電噴霧装置(10)は、使用者が噴霧カートリッジ(30)をハウジング(21)の容器設置部(43)に設置してからハウジング(21)を閉じると運転可能な状態となる。噴霧カートリッジ(30)を設置すると、定荷重ゼンマイ(25)のストロークが、噴霧カートリッジ(30)の設置前に比べて容器部(31)の厚みの分だけ大きくなる。この状態で、押圧部材(26)は、定荷重ゼンマイ(25)で発生する荷重が加わっている。
【００３７】
使用者が静電噴霧装置(10)を動作させると、押圧部材(26)が、定荷重ゼンマイ(25)の荷重を受けて下方に移動する。下方に移動した押圧部材(26)は、容器部(31)に当接し、容器部(31)を押圧する。押圧された容器部(31)の内部の内部の液体は、ノズル部(32)の先端に移動する。ノズル部(32)の内径は小さくノズル部(32)の流路抵抗は大きい。このため、容器部(31)に対する押圧力を大きくしても、容器部(31)の内部の液体は少しずつノズル部(32)の先端に供給される。
【００３８】
一方、使用者が静電噴霧装置(10)を動作させると、電源部(24)は、本体側電極を介してカートリッジ側電極(16)に所定の電圧を出力する。カートリッジ側電極(16)から電圧が出力されると、ノズル部(32)の先端に電界が形成される。このとき、例えば６ｋＶの電圧がノズル部(32)の先端に印加される。ノズル部(32)の先端に電界が形成されると、ノズル部(32)の先端の液体が分極し、ノズル部(32)の先端の気液界面の近傍に＋（プラス）の電荷が集まる。そして、ノズル部(32)の先端では、気液界面が引き延ばされて円錐状となり、この円錐状となった気液界面の頂部から一部の水溶液が引きちぎられて液滴化する。
【００３９】
なお、この実施形態の印加電圧の大きさ及び液体の電気抵抗率であれば、ノズル部(32)から飛散する液滴の大きさは、概ね５０μｍから２００μｍの範囲の大きさになる。ノズル部(32)から飛散した液体は、ノズル部(32)の先端から４０〜５０ｃｍ程度離れた距離まで到達する。使用者が、５０ｃｍ程度前方に、顔面にノズル部(32)を向けて静電噴霧装置(10)を設置すると、飛散した液滴が使用者の顔面に付着する。
【００４０】
次に、静電噴霧装置(10)の停止時の動作について説明する。
【００４１】
使用者が静電噴霧装置(10)を停止させると、ガイド部材(27)は、押圧部材(26)を固定して下方への移動を規制する。押圧部材(26)の下方の移動が停止すると、容器部(31)に対する押圧力は無くなる。ところが、容器部(31)の内部の液体には、残留圧力が作用するため、液体は、ノズル部(32)の先端に送り込まれる。この状態で、制御部(28)は、電源部(24)から本体側電極を介してカートリッジ側電極(16)に電圧を所定の時間に亘って出力する。このときの出力電圧は、６ｋＶに設定されている。なお、上記印加電圧値及び電圧印加時間は、ノズル部(32)の先端に送り込まれる液体量に応じて変更することができる。このため、図４に示すように、動作停止後も、所定の時間はノズル部(32)の先端に電界が形成されているため、静電噴霧装置(10)は、残留圧力によりノズル部(32)の先端に送り込まれた液体を噴霧する。
【００４２】
−実施形態の効果−
以上のように、本実施形態によれば、押圧部材(26)の容器部(31)に対する押圧を停止した後も、制御部(28)は、電源部(24)からカートリッジ側電極(16)に定常噴霧時の出力電圧（６ｋＶ）を出力するよう制御した。このため、動作停止後に、残留圧力によりノズル部(32)の先端に送り込まれた液体を噴霧することができる。この結果、動作停止後に、ノズル部(32)の先端に液溜まりが形成されることがないため、ノズル部(32)の先端からの液漏れ及び次回運転時の液詰まり等を確実に防止することができる。
【００４３】
〈本実施形態の変形例〉
次に、本実施形態の変形例について説明する。
【００４４】
本変形例は、上記実施形態の制御部(28)が、電源部(24)からの出力電圧を直接に制御したのに代えて、図示はしないが、電源部(24)にコンデンサを設け、カートリッジ側電極(16)の印加電圧を制御するようにしたものである。つまり、上記コンデンサは、制御部(28)を構成し、容器部(31)の加圧停止後もノズル部(32)の先端に電界を形成するように構成されている。
【００４５】
具体的に、使用者が静電噴霧装置(10)を停止させると、ガイド部材(27)は、押圧部材(26)を固定して下方への移動を規制する。押圧部材(26)の下方の移動が停止すると、容器部(31)に対する押圧力は無くなる。しかしながら、容器部(31)の内部の液体には、残留圧力が作用するため、液体は、ノズル部(32)の先端に送り込まれる。一方、静電噴霧装置(10)が停止すると、電源部(24)からの電力供給が停止する。ところが、電源部(24)に設けられたコンデンサの内部には、動作開始時から動作停止時までの間に電荷が蓄積している。従って、コンデンサは、電源部(24)の電力供給が停止しても、本体側電極を介してカートリッジ側電極(16)に電圧を出力する。このときの出力電圧は、定常時の印加電圧である６ｋＶが出力され、そこから除々に低下する。このため、図５に示すように、動作停止後も、所定の時間はノズル部(32)の先端に電界が形成されているため、静電噴霧装置(10)は、残留圧力によりノズル部(32)の先端に送り込まれた液体を噴霧することができる。その他の構成及び動作は実施形態と同様である。
【００４６】
〈その他の実施形態〉
本発明は、上記実施形態について、以下のような構成としてもよい。
【００４７】
上記実施形態及び変形例について、噴霧する液体としてテアニンの水溶液を用いてもよい。また、カテキンやプロアントシアニジン等の抗酸化剤の水溶液を用いてもよい。また、微生物の繁殖を抑制する機能や微生物を死滅させる機能を有する物質を含んだ液体を用いてもよい。また空気中の臭気分子を中和などによる化学変化で無臭化する物質を含んだ液体を用いてもよい。また、アレルゲンとなるタンパク質の抗原部位を化学的に変化させる物質を含んだ液体を用いてもよい。また、空気中の有害物質を化学変化によって無害化する物質を含んだ液体を用いてもよい。また、各種の香料や害虫の忌避剤等を含んだ液体を用いてもよい。
【００４８】
また、本実施形態及び変形例は、本発明を定荷重ゼンマイ(25)と押圧部材(26)と噴霧カートリッジ(30)等で構成される液体搬送装置(15)を有する静電噴霧装置(10)に適用したが、本発明は、各種の静電噴霧装置に適用することができる。
【００４９】
尚、以上の実施形態は、本質的に好ましい例示であって、本発明、その適用物、あるいはその用途の範囲を制限することを意図するものではない。
【産業上の利用可能性】
【００５０】
以上説明したように、本発明は、静電噴霧装置の動作停止後の液漏れ等の防止対策について有用である。
【図面の簡単な説明】
【００５１】
【図１】本発明の実施形態に係る静電噴霧装置を示す斜視図である。
【図２】本発明の実施形態に係る静電噴霧装置を示す概略断面図である。
【図３】本本発明の実施形態に係る噴霧カートリッジを示す斜視図である。
【図４】本発明の実施形態に係る押圧力、容器部内圧及び印加電圧と時間との関係を示すタイミングチャートである。
【図５】本発明の実施形態の変形例に係る押圧力、容器部内圧及び印加電圧の関係を示すタイミングチャートである。
【図６】(Ａ)はノズル部を示す概略断面図であり、(Ｂ)は液溜まりが発生したノズル部を示す概略断面図である。
【図７】容器部内圧と時間との関係を示すグラフである。
【符号の説明】
【００５２】
１０          静電噴霧装置
１５          液体搬送装置
１６          カートリッジ側電極
２３          押圧機構
２４          電源部
２８          制御部
３１          容器部
３２          ノズル部
【図１】
2009011958.tif 000003
【図２】
2009011958.tif 000004
【図３】
2009011958.tif 000005
【図４】
2009011958.tif 000006
【図５】
2009011958.tif 000007
【図６】
2009011958.tif 000008
【図７】
2009011958.tif 000009